(57)【特許請求の範囲】
【請求項１】
合成樹脂製の成形部品であり、基準・ガイドピンが挿入される基準・ガイドピン挿入孔と、該基準・ガイドピン挿入孔の位置を基準に設けてある光ファイバの芯線の先端が挿入される光ファイバ芯線挿入孔と、該基準・ガイドピン挿入孔と該光ファイバ挿入孔とを結ぶ方向に長い形状を有し、ガイドピンが挿入されるガイドピン挿入長円孔と、該基準・ガイドピン挿入孔又は該ガイドピン挿入長円孔を識別するマークとを有するフェルールと、先端の光ファイバ芯線が該光ファイバ芯線挿入孔に挿入されて固定してある光ファイバと、該基準・ガイドピン挿入孔に挿入されて固定してあり、該基準・ガイドピン挿入孔より突き出ている基準・ガイドピンと、該ガイドピン挿入長円孔に挿入されて固定してあり、該ガイドピン挿入長円孔より突き出ている円柱形状のガイドピンとよりなるピン付きフェルール組立体と、
上記のフェルールと同じフェルールと、先端の光ファイバ芯線が光ファイバ芯線挿入孔に挿入されて固定してある光ファイバと、基準・ガイドピン挿入孔及びガイドピン挿入長円孔が空きとしてある孔付きフェルール組立体とよりなり、
上記ピン付きフェルール組立体と上記孔付きフェルール組立体とが、上記マークを目印に、該ピン付きフェルール組立体の該基準・ガイドピンが該孔付きフェルール組立体の基準・ガイドピン挿入孔と対向し、該ピン付きフェルール組立体の該ガイドピンが該孔付きフェルール組立体の該ガイドピン挿入長円孔と対向するように向きが決められ、且つ、
該ピン付きフェルール組立体の該基準・ガイドピンが該孔付きフェルール組立体の基準・ガイドピン挿入孔に挿入され、該ピン付きフェルール組立体の該ガイドピンが該孔付きフェルール組立体の該ガイドピン挿入長円孔に挿入されて、該ピン付きフェルール組立体の該基準・ガイドピンと該孔付きフェルール組立体の基準・ガイドピン挿入孔とにより位置決めされて接続されるように構成したことを特徴とする光コネクタ。
【請求項２】
上記基準・ガイドピン及び上記ガイドピンは、端部にフランジ部を有し、該フランジ部の位置まで上記基準・ガイドピン挿入孔及びガイドピン挿入長円孔内に挿入されて固定してある構成としたことを特徴とする請求項１記載の光コネクタ。
【請求項３】
請求項１記載のピン付きフェルール組立体及び孔付きフェルール組立体は、フレーム内に組み込まれており、
該フレームは、その内部に、該ピン付きフェルール組立体より引き出されている光ファイバを案内するガイドを有し、該ガイドの一部が、上記ピン付きフェルール組立体の背面に露出している側の基準・ガイドピン及びガイドピンの端面を係止する構成としたことを特徴とする請求項１記載の光コネクタ。
【請求項４】
内部に突起部を有するフレームと、
該フレーム内に組み込まれたばねとを有し、
且つ、請求項１記載のフェルールは、両側面に凸部を有し、上記フレーム内に組み込んであり、上記ばねによりフレームより押し出される方向に付勢され、かつ、上記凸部が上記突起部に係止された構成としたことを特徴とする請求項１記載の光コネクタ。
【請求項５】
合成樹脂製の成形部品であり、基準・ガイドピンが挿入される基準・ガイドピン挿入孔と、該基準・ガイドピン挿入孔の位置を基準に設けてある光ファイバの芯線の先端が挿入される光ファイバ芯線挿入孔と、該基準・ガイドピン挿入孔と該光ファイバ挿入孔とを結ぶ方向に長い形状を有し、ガイドピンが挿入されるガイドピン挿入長円孔と、該基準・ガイドピン挿入孔又は該ガイドピン挿入長円孔を識別するマークとを有するフェルールと、
先端の光ファイバ芯線が該光ファイバ芯線挿入孔に挿入されて固定してある光ファイバと、
該基準・ガイドピン挿入孔に挿入されて固定してあり、該基準・ガイドピン挿入孔より突き出ている基準・ガイドピンと、
該ガイドピン挿入長円孔に挿入されて固定してあり、該ガイドピン挿入長円孔より突き出ている円柱形状のガイドピンとよりなる構成としたことを特徴とするピン付きフェルール組立体。
【請求項６】
合成樹脂製の成形部品であり、基準・ガイドピンが挿入される基準・ガイドピン挿入孔と、該基準・ガイドピン挿入孔の位置を基準に設けてある光ファイバの芯線の先端が挿入される光ファイバ芯線挿入孔と、該基準・ガイドピン挿入孔と該光ファイバ挿入孔とを結ぶ方向に長い形状を有し、ガイドピンが挿入されるガイドピン挿入長円孔と、該基準・ガイドピン挿入孔又は該ガイドピン挿入長円孔を識別するマークとを有するフェルールと、
先端の光ファイバ芯線が該光ファイバ芯線挿入孔に挿入されて固定してある光ファイバとよりなり、
上記基準・ガイドピン挿入孔及びガイドピン挿入長円孔が空きとしてある構成としたことを特徴とする孔付きフェルール組立体。
【発明の詳細な説明】
【０００１】
【発明の属する技術分野】
本発明は光コネクタに係り、特に、光通信に利用される複数本の光ファイバが整列して固定されたフェルールを突き合わせて複数本の光ファイバを一括して接続する多芯一括接続光コネクタに関する。
【０００２】
この多芯一括接続光コネクタにおいては、接続された状態において、対をなす全部の光ファイバ芯線が精度良く芯合わせされていることが重要である。
【０００３】
【従来の技術】
図１２は、従来の多芯一括接続光コネクタ１０を概略的に示す。光コネクタ１０は、ピン付きフェルール組立体１１と孔付きフェルール組立体１２とを有する。
【０００４】
ピン付きフェルール組立体１１は、図１３（Ａ）、（Ｂ）に示すように、フェルール１３の４つの孔１４に光ファイバ１５が挿入されて固定され、フェルール１３の両側の孔１６、１７にピン１８、１９が挿入されて固定された構造を有する。
【０００５】
孔付きフェルール組立体１２は、図１３（Ｃ）、（Ｂ）に示すように、フェルール１３の４つの孔１４に光ファイバ１５が挿入されて固定され、フェルール１３の両側の孔１６、１７が空である構造を有する。
図１３（Ａ）のフェルール１３と図１３（Ｃ）のフェルール１３とは同じ部品である。
【０００６】
ここで、孔１６、１７は共に同じ径の丸孔である。よって、孔１６、１７は共に基準の孔であり、ピン１８、１９は共に基準のピンである。
ピン付きフェルール組立体１１と孔付きフェルール組立体１２とは、ピン１８、１９が夫々孔１６、１７に嵌合して位置決めされて接続される。
【０００７】
【発明が解決しようとする課題】
しかるに、孔１６、１７は共に同じ径の丸孔であり、共に基準の孔である。このため、接続された状態において、各対をなす光ファイバ芯線が十分に精度良く芯合わされるためには、第１には、孔１６の位置と孔１７の位置を数μｍ程度の非常に厳しい公差で定め、即ち、比較的離れて位置する孔１６と孔１７との間隔を数μｍ程度の非常に厳しい公差で定め、第２には、４つの孔１４の位置を孔１６の位置と孔１７の位置とを基準として数μｍ程度の非常に厳しい公差で定める必要があり、フェルール１３の成形金型の製作が困難であった。
【０００８】
そこで、上記課題を解決した光コネクタを提供することを目的とする。
【０００９】
【課題を解決するための手段】
請求項１の発明は、合成樹脂製の成形部品であり、基準・ガイドピンが挿入される基準・ガイドピン挿入孔と、該基準・ガイドピン挿入孔の位置を基準に設けてある光ファイバの芯線の先端が挿入される光ファイバ芯線挿入孔と、該基準・ガイドピン挿入孔と該光ファイバ挿入孔とを結ぶ方向に長い形状を有し、ガイドピンが挿入されるガイドピン挿入長円孔と、該基準・ガイドピン挿入孔又は該ガイドピン挿入長円孔を識別するマークとを有するフェルールと、先端の光ファイバ芯線が該光ファイバ芯線挿入孔に挿入されて固定してある光ファイバと、該基準・ガイドピン挿入孔に挿入されて固定してあり、該基準・ガイドピン挿入孔より突き出ている基準・ガイドピンと、該ガイドピン挿入長円孔に挿入されて固定してあり、該ガイドピン挿入長円孔より突き出ている円柱形状のガイドピンとよりなるピン付きフェルール組立体と、
上記のフェルールと同じフェルールと、先端の光ファイバ芯線が光ファイバ芯線挿入孔に挿入されて固定してある光ファイバと、基準・ガイドピン挿入孔及びガイドピン挿入長円孔が空きとしてある孔付きフェルール組立体とよりなり、
上記ピン付きフェルール組立体と上記孔付きフェルール組立体とが、上記マークを目印に、該ピン付きフェルール組立体の該基準・ガイドピンが該孔付きフェルール組立体の基準・ガイドピン挿入孔と対向し、該ピン付きフェルール組立体の該ガイドピンが該孔付きフェルール組立体の該ガイドピン挿入長円孔と対向するように向きが決められ、且つ、
該ピン付きフェルール組立体の該基準・ガイドピンが該孔付きフェルール組立体の基準・ガイドピン挿入孔に挿入され、該ピン付きフェルール組立体の該ガイドピンが該孔付きフェルール組立体の該ガイドピン挿入長円孔に挿入されて、該ピン付きフェルール組立体の該基準・ガイドピンと該孔付きフェルール組立体の基準・ガイドピン挿入孔とにより位置決めされて接続されるように構成したものである。
【００１０】
請求項２の発明は、上記基準・ガイドピン及び上記ガイドピンは、端部にフランジ部を有し、該フランジ部の位置まで上記基準・ガイドピン挿入孔及びガイドピン挿入長円孔内に挿入されて固定してある構成としたものである。
請求項３の発明は、請求項１記載のピン付きフェルール組立体及び孔付きフェルール組立体は、フレーム内に組み込まれており、
該フレームは、その内部に、該ピン付きフェルール組立体より引き出されている光ファイバを案内するガイドを有し、該ガイドの一部が、上記ピン付きフェルール組立体の背面に露出している側の基準・ガイドピン及びガイドピンの端面を係止する構成としたものである。
【００１１】
請求項４の発明は、内部に突起部を有するフレームと、
該フレーム内に組み込まれたばねとを有し、
且つ、請求項１記載のフェルールは、両側面に凸部を有し、上記フレーム内に組み込んであり、上記ばねによりフレームより押し出される方向に付勢され、かつ、上記凸部が上記突起部に係止された構成としたものである。
【００１２】
請求項５の発明によれば、合成樹脂製の成形部品であり、基準・ガイドピンが挿入される基準・ガイドピン挿入孔と、該基準・ガイドピン挿入孔の位置を基準に設けてある光ファイバの芯線の先端が挿入される光ファイバ芯線挿入孔と、該基準・ガイドピン挿入孔と該光ファイバ挿入孔とを結ぶ方向に長い形状を有し、ガイドピンが挿入されるガイドピン挿入長円孔と、該基準・ガイドピン挿入孔又は該ガイドピン挿入長円孔を識別するマークとを有するフェルールと、
先端の光ファイバ芯線が該光ファイバ芯線挿入孔に挿入されて固定してある光ファイバと、
該基準・ガイドピン挿入孔に挿入されて固定してあり、該基準・ガイドピン挿入孔より突き出ている基準・ガイドピンと、
該ガイドピン挿入長円孔に挿入されて固定してあり、該ガイドピン挿入長円孔より突き出ている円柱形状のガイドピンとよりなる構成としたものである。
【００１３】
請求項６の発明によれば、合成樹脂製の成形部品であり、基準・ガイドピンが挿入される基準・ガイドピン挿入孔と、該基準・ガイドピン挿入孔の位置を基準に設けてある光ファイバの芯線の先端が挿入される光ファイバ芯線挿入孔と、該基準・ガイドピン挿入孔と該光ファイバ挿入孔とを結ぶ方向に長い形状を有し、ガイドピンが挿入されるガイドピン挿入長円孔と、該基準・ガイドピン挿入孔又は該ガイドピン挿入長円孔を識別するマークとを有するフェルールと、
先端の光ファイバ芯線が該光ファイバ芯線挿入孔に挿入されて固定してある光ファイバとよりなり、
上記基準・ガイドピン挿入孔及びガイドピン挿入長円孔が空きとしてある構成としたものである。
【００１４】
【発明の実施の形態】
図６乃至図１１は、本発明の一実施例になる多芯一括接続光コネクタ３０を示す。この光コネクタ３０は、図１及び図２に示す、本発明の要部をなし、且つ対をなすピン付きフェルール組立体３１と孔付きフェルール組立体３２とを有する。
【００１５】
そこで、先ず、ピン付きフェルール組立体３１及び孔付きフェルール組立体３２について説明する。
ピン付きフェルール組立体３１は、図３（Ａ）、（Ｂ）に併せ示すように、略直方体形状のフェルール３３の４つの光ファイバ芯線挿入孔３４、３５、３６、３７に光ファイバ芯線３８がフェルール３３の背面４３側から挿入されて固定され、フェルール３３の片側の基準・ガイドピン挿入孔３９に基準・ガイドピン４１がフェルール３３の背面４３側から挿入されて固定され、フェルール３３の他側のガイドピン挿入孔４０にガイドピン４２がフェルール３３の背面４３側から挿入されて固定された構造を有する。図２に示すように、光ファイバ芯線３８の先端は、フェルール３３の前面４４に露出している。ピン４１、４２は、フェルール３３の前面４４より突き出ている。フェルール３３の背面４３側から、被覆付きの光ファイバ４５が引き出されている。また、ピン４１とピン４２とは、同じ部材である。
【００１６】
孔付きフェルール組立体３２は、上記のフェルール３３と同じフェルール３３の４つの孔３４、３５、３６、３７に光ファイバ芯線４６がフェルール３３の背面４３側から挿入されて固定され、フェルール３３の両側の基準・ガイドピン挿入孔３９及びガイドピン挿入孔４０が空である構造を有する。フェルール３３の背面４３側から、被覆付きの光ファイバ４７が引き出されている。
【００１７】
ここで、フェルール３３について、図４（Ａ）乃至（Ｃ）を併せ参照して説明する。図４（Ａ）は平面図、同図（Ｂ）は正面図、同図（Ｃ）は底面図である。図３（Ａ）のフェルール３３と図３（Ｃ）のフェルール３３とは同じ成形金型で成形された合成樹脂製の成形部品である。Ｘはフェルール３３の幅方向、Ｙはフェルール３３の高さ方向である。図３（Ｃ）のフェルール３３は、図３（Ａ）のフェルール３３をＸ軸に関して１８０度回動させて反転した状態である。
【００１８】
ここで、一方の基準・ガイドピン挿入孔３９は、直径がｄ１の円形の丸孔であり、設計図上において、他の孔の位置を定める基準の役割を有する。４つの孔３４、３５、３６、３７は、孔３９の中心を通るＸ軸線５０上であって、孔３９の中心を基準に夫々寸法Ｌ１，Ｌ２，Ｌ３，Ｌ４の位置に設けてある。他方のガイドピン挿入孔４０は、上記Ｘ軸線５０上であって、孔３９の中心を基準に寸法Ｌ５の位置に設けてある。孔４０は、Ｙ方向の寸法が、上記の直径ｄ１と等しいａであり、Ｘ方向の寸法が、ａより大きいｂである、Ｘ方向に長い長円孔である。
【００１９】
即ち、孔３９、４０のうち、孔３９だけが基準孔であり、孔４０は基準孔ではない。従って、孔４０の位置を定める寸法Ｌ５には数μｍ程度の非常に厳しい公差は要求されない。また、４つの孔３４、３５、３６、３７については、数μｍ程度の非常に厳しい公差が要求されるけれども、孔３９を基準に位置を定めるだけで足り、別の孔４０を基準に位置を定める必要は無い。よって、フェルール３３の成形金型は、従来に比べて容易に製作され、フェルール３３は従来に比べて容易に成形されて製造される。
【００２０】
図１を参照するに、孔付きフェルール組立体３２の基準・ガイドピン挿入孔３９は、位置出しの基準としての役割と、ガイドとしての役割とを有する。孔付きフェルール組立体３２のガイドピン挿入孔４０は、位置出しの基準としての役割は有さず、専らガイドとしての役割だけを有する。
【００２１】
同じく図１を参照するに、ピン付きフェルール組立体３１の基準・ガイドピン４１は、直径がｄ１の円形の丸孔である基準・ガイドピン挿入孔３９に挿入されて固定してあり、位置出しの基準としての役割と、ガイドとしての役割とを有する。ピン付きフェルール組立体３１のガイドピン４２はＸ方向に長い長円孔であるガイドピン挿入孔４０に挿入されて固定してあり、位置出しの基準としての役割は有さず、専らガイドとしての役割だけを有する。
【００２２】
このように孔３９と孔４０との役割が異なることから、フェルール３３の上面５１のうち孔４０に対応する部位に三角マーク５３が、及びフェルール３３の下面５２のうち孔４０に対応する部位に三角マーク５４が形成してある。ピン付きフェルール組立体３１と孔付きフェルール組立体３２とを接続するときに、基準・ガイドピン４１と基準・ガイドピン挿入孔３９とが対向し、ガイドピン４２とガイドピン挿入孔４０とが対向していることを目で確認出来るようにするためである。
【００２３】
また、フェルール３３は、基準・ガイドピン挿入孔３９側の側面５５に、凸部５６を有し、ガイドピン挿入孔４０側の側面５７に、凸部５８を有する。Ｙ方向についてみるに、凸部５８は、フェルール３３の上面５１と下面５２と同じ面ま延びて存在しているのに対して、凸部５６は、フェルール３３の上面５１と下面５２より少し下がった位置に留まっている。即ち、凸部５６と凸部５８とは、形状が少し異なっている。ピン付きフェルール組立体３１と孔付きフェルール組立体３２とが後述フレームに正しい向きで組み込まれるようにするためである。
【００２４】
上記のピン付きフェルール組立体３１と孔付きフェルール組立体３２とは後述するようにフレーム同士が接続されたときに、図５に示すように、ピン付きフェルール組立体３１の基準・ガイドピン４１の後述する突き出し部分４１ｂが孔付きフェルール組立体３２の基準・ガイドピン挿入孔３９に入り込み、ピン付きフェルール組立体３１のガイドピン４２の後述する突き出し部分４２ｂが孔付きフェルール組立体３２のガイドピン挿入孔４０に入り込むことによって、案内されると共に位置を規制され、前面４４同士が突き合わされて密着する。ピン付きフェルール組立体３１と孔付きフェルール組立体３２とは、基準・ガイドピン４１と基準・ガイドピン挿入孔３９とによって基準となる位置を決められる。
【００２５】
ここで、ピン付きフェルール組立体３１のフェルール３３の前面４４に露出している光ファイバ芯線３８の先端の位置は、基準・ガイドピン挿入孔３９に挿入固定してある基準・ガイドピン４１の位置を基準に定められており、孔付きフェルール組立体３２のフェルール３３の前面４４に露出している光ファイバ芯線３８の先端の位置は、基準・ガイドピン挿入孔３９の位置を基準に定められている。このため、ピン付きフェルール組立体３１の各光ファイバ芯線３８の先端と、孔付きフェルール組立体３２の各光ファイバ芯線４６の先端とは、精度良く芯合わせされて突き合わされ、各光ファイバ芯線３８同士は信号が十分に効率良く伝送される状態で接続される。
【００２６】
また、孔付きフェルール組立体３２のガイドピン挿入孔４０はＸ方向に長い長円孔であるため、ピン付きフェルール組立体３１のガイドピン４２の位置の精度が少し悪くても、ピン付きフェルール組立体３１のガイドピン４２は、Ｘ方向上ガイドピン４２とガイドピン挿入孔４０との間に若干の隙間５９を有する余裕をもって、孔付きフェルール組立体３２のガイドピン挿入孔４０内に円滑に挿入される。よって、ピン付きフェルール組立体３１と孔付きフェルール組立体３２とは円滑に接続される。
【００２７】
また、図３に示すように、基準・ガイドピン４１及びガイドピン４２は、後端にフランジ部４１ａ，４２ａを有する。図２に示すように、フェルール３３の背面４３には、基準・ガイドピン挿入孔３９の部位にフランジ部収容凹部６０を有し、且つガイドピン挿入孔４０の部位にフランジ部収容凹部６１を有する。基準・ガイドピン４１は、フランジ部４１ａがフランジ部収容凹部６０内に嵌合した最終位置まで挿入してある。ガイドピン４２は、フランジ部４２ａがフランジ部収容凹部６１内に嵌合した最終位置まで挿入してある。これにより、基準・ガイドピン４１及びガイドピン４２の固定位置が一義的に決まり、基準・ガイドピン４１及びガイドピン４２のうちフェルール３３の前面４４より突き出ている部分４１ｂ，４２ｂの寸法ｃが一義的に決まる。よって、上記接続時に、基準・ガイドピン４１の相手方の基準・ガイドピン挿入孔３９内に挿入される長さ、及びガイドピン４２の相手方のガイドピン挿入孔４０内に挿入される長さが、各光コネクタ間でばらつくことがなく、その分、光コネクタの接続の信頼性が高い。
【００２８】
次に、上記のピン付きフェルール組立体１１と孔付きフェルール組立体１２とが組み込まれた光コネクタ１０について説明する。
光コネクタ１０は、ピン付きフェルール組立体１１が組み込まれたピン付きコネクタ７０と、孔付きフェルール組立体１２が組み込まれた孔付きコネクタ７１とを有する。
【００２９】
ピン付きコネクタ７０は、図９及び図１０に示すように、円筒状のフレーム７２内に、ピン付きフェルール組立体３１が、ばね７３によりＡ１方向、即ち、フレーム７２より押し出される方向に付勢され、凸部５６、５７が夫々フレーム７２の内側の突起部７４に当たった状態にある。また、フレーム７２内に、ガイド７５及びゴム栓７６が組み込んである。被覆付きの光ファイバ４７は、光ファイバを整列させるガイド７５及びゴム栓７６内を通って、ゴムフード７７より引き出されている。７８はバヨネット方式の接続スリーブであり、ばね７９とともに、フレーム７２の外側に取り付けてある。フレーム７２の先端側には、Ｏリング８１が取り付けてある。
【００３０】
孔付きコネクタ７１は、図１１に示すように、円筒状のフレーム７２Ａ内に、孔付きフェルール組立体３２が、ばね７３ＡによりＡ２方向、即ち、フレーム７２Ａより押し出される方向に付勢され、凸部５６、５７が夫々フレーム７２Ａの内側の突起部７４Ａに当たった状態にある。また、フレーム７２Ａ内に、ガイド７５Ａ及びゴム栓７６Ａが組み込んである。被覆付きの光ファイバ４７は、ガイド７５Ａ及びゴム栓７６Ａ内を通って、ゴムフード７７Ａより引き出されている。
【００３１】
ピン付きコネクタ７０と孔付きコネクタ７１とは、図６、図７、図８に示すように、突き合わされ、接続スリーブ７８がフレーム７２Ａの外側の凸部８０に係合され締める方向に回されてバヨネット方式で接続してある。フレーム７２とフレーム７２Ａとは、ばね７９のばね力により突き合わされており、Ｏリング８１によりシールされている。フレーム７２とフレーム７２Ａ内においては、ピン付きフェルール組立体３１と孔付きフェルール組立体３２とが、ばね７３とばね７３Ａのばね力により突き合わされており、図５に取り出して示すように、接続してある。ピン付きフェルール組立体３１と孔付きフェルール組立体３２との前面４４同士がばね７３とばね７３Ａのばね力によって、密着している。これによって、伝送損失が小さくなっている。
【００３２】
図６に示すように、ガイド７５の前面７５ａがピン付きフェルール組立体３１の基準・ガイドピン４１及びガイドピン４２の後端のフランジ部４１ａ，４２ａに当接しており、基準・ガイドピン４１及びガイドピン４２が無用に抜け出ないようになっている。
【００３３】
なお、本発明は、多芯一括接続光コネクタに限らず、一本の光ファイバを接続するコネクタにも適用される。
【００３４】
【発明の効果】
上述の如く、請求項１の発明によれば、一の孔が基準・ガイドピン挿入孔で基準となり、別の孔が長円孔であり基準とはならない構成であるため、基準・ガイドピン挿入孔と長円孔との間の寸法は厳しい公差を要求されず、両方の孔が共に基準の孔であって両方の孔の間隔の寸法についても厳しい公差が要求される従来の構成に比べて、フェルール成形金型を容易に製作できる。よって、フェルールの製造コストを易く出来、対をなすピン付きフェルール組立体と孔付きフェルール組立体とを従来に比べて安価に製造出来る。
【００３５】
請求項２の発明によれば、基準・ガイドピン及びガイドピンは、端部のフランジ部の位置まで上記基準・ガイドピン挿入孔及びガイドピン挿入長円孔内に挿入されて固定してある構成であるため、単に最終位置まで押し込むことによって、基準・ガイドピン及びガイドピンの固定位置が一義的に決まり、基準・ガイドピン及びガイドピンのうちフェルールの前面より突き出ている部分の寸法を一義的に決めることが出来、製造をし易く出来る。
【００３６】
請求項３の発明は、ピン付きフェルール組立体は、基準・ガイドピン及びガイドピンの端面を光ファイバを案内するガイドにより係止された状態でフレーム内に組み込まれている構成であるため、基準・ガイドピン及びガイドピンが抜け出ないようにすることが出来る。
【００３７】
請求項４の発明によれば、ピン付きフェルール組立体及び孔付きフェルール組立体がばねのばね力によりフレームより押し出される方向に付勢された構成であるため、接続された状態において、ピン付きフェルール組立体と孔付きフェルール組立体との前面同士が上記ばねのばね力によって密着させることが出来、伝送損失を小さく出来る。
【００３８】
請求項５の発明によれば、一の孔が基準・ガイドピン挿入孔で基準となり、別の孔が長円孔であり基準とはならない構成であるため、基準・ガイドピン挿入孔と長円孔との間の寸法は厳しい公差を要求されず、両方の孔が共に基準の孔であって両方の孔の間隔の寸法についても厳しい公差が要求される従来の構成に比べて、フェルール成形金型を容易に製作できる。よって、フェルールの製造コストを易く出来、ピン付きフェルール組立体を従来に比べて安価に製造出来る。
【００３９】
請求項５の発明によれば、一の孔が基準・ガイドピン挿入孔で基準となり、別の孔が長円孔であり基準とはならない構成であるため、基準・ガイドピン挿入孔と長円孔との間の寸法は厳しい公差を要求されず、両方の孔が共に基準の孔であって両方の孔の間隔の寸法についても厳しい公差が要求される従来の構成に比べて、フェルール成形金型を容易に製作できる。よって、フェルールの製造コストを易く出来、孔付きフェルール組立体と従来に比べて安価に製造出来る。
【図面の簡単な説明】
【図１】本発明の一実施例になる光コネクタの要部をなす一対のフェルール組立体を示す図である。
【図２】図１の一対のフェルール組立体の断面図である。
【図３】図１の一対のフェルール組立体の製造を説明するための図である。
【図４】図３中のフェルールを示す図である。
【図５】図１の一対のフェルール組立体が接続された状態を示す図である。
【図６】本発明の一実施例になる多芯一括接続光コネクタの接続状態を示す図である。
【図７】図６中、矢印ＶＩＩの方向からみた図である。
【図８】図７中、ＶＩＩＩ−ＶＩＩＩ線に沿う断面図である。
【図９】図６中、ピン付きコネクタを示す図である。
【図１０】図９中、矢印Ｘ方向からみた図である。
【図１１】図６中、孔付きコネクタを示す図である。
【図１２】従来の多芯一括接続光コネクタのフェルール組立体を示す図である。
【図１３】図１２のフェルール組立体の製造を説明するための図である。
【符号の説明】
３０  多芯一括接続光コネクタ
３１  ピン付きフェルール組立体
３２  孔付きフェルール組立体
３３  フェルール
３４〜３７  光ファイバ芯線挿入孔
３８  光ファイバ芯線
３９  基準・ガイドピン挿入孔
４０  ガイドピン挿入孔
４１  基準・ガイドピン
４２  ガイドピン
４１ａ，４２ａ  フランジ部
４１ｂ，４２ｂ  突き出している部分
４３  フェルールの背面
４４  フェルールの前面
４５，４７  被覆付きの光ファイバ
４６  光ファイバ芯線
５０  Ｘ軸線
５１  フェルールの上面
５２  フェルールの下面
５３、５４  三角マーク
５５、５７  フェルールの側面
５６、５８  凸部
５９  隙間
６０、６１  凹部
７０  ピン付きコネクタ
７１  孔付きコネクタ
７２  円筒状のフレーム
７３、７９  ばね
７４  突起部
７５  ガイド
７５ａ  ガイドの前面
７６  ゴム栓
７７  ゴムフード
７８  接続スリーブ
８０  凸部
８１  Ｏリング
【図１】
0003730292.tif 000002
【図２】
0003730292.tif 000003
【図３】
0003730292.tif 000004
【図４】
0003730292.tif 000005
【図５】
0003730292.tif 000006
【図６】
0003730292.tif 000007
【図７】
0003730292.tif 000008
【図８】
0003730292.tif 000009
【図９】
0003730292.tif 000010
【図１０】
0003730292.tif 000011
【図１１】
0003730292.tif 000012
【図１２】
0003730292.tif 000013
【図１３】
0003730292.tif 000014